(57)【要約】【課題】ファックスの印刷待ち時間を短縮するとともに、消費電力の低減を図ることができるファクシミリ装置、およびその節電制御方法を提供すること。【解決手段】ファクシミリ装置である複合機１００は、印刷エンジン１４０を待機状態とする節電モードに制御する節電制御部２０と、印刷エンジン１４０による印刷出力を制御する出力制御部３０とを備えている。また、宛先帳１１７には、ファックス送信元の宛先とファックスの出力形態とが対応付けて記憶されている。節電モードに設定されているときにファクシミリ部１５０にファックスデータの着信があり、宛先帳１１７に基づく当該ファックスデータの送信元に対応する出力形態が印刷出力である場合、節電制御部２０は、ファックスデータの受信完了を待つことなく、これに先立って、節電モードを解除して印刷エンジン１４０にウォームアップ動作を開始させる。【選択図】図３
2010199670.tif 000002
【特許請求の範囲】
【請求項１】
印刷出力を含む複数の出力形態を有するファクシミリ装置であって、
ファックスデータを受信する受信部と、
前記受信したファックスデータの印刷出力を行う印刷部と、
前記印刷部を待機状態とする節電モードの制御を行う節電制御部と、
前記印刷部による印刷出力を制御する出力制御部と、
前記ファックスデータの送信元に応じて、当該ファックスデータの出力形態を予め指定した出力指定情報を記憶する記憶部と、を備え、
前記節電モードに制御されているときに前記ファックスデータの着信があり、前記出力指定情報に基づく当該ファックスデータの送信元に対応する出力形態が印刷出力である場合、当該ファックスデータの受信完了に先立ち、前記節電制御部は節電モードを解除して前記印刷部にウォームアップ動作を開始させることを特徴とするファクシミリ装置。
【請求項２】
請求項１に記載のファクシミリ装置において、
印刷出力が行われていない期間に経過した時間をカウントするカウント部をさらに備え、
前記節電制御部は、前記カウント部のカウント値が所定値に到達したときに、前記印刷部を節電モードとする節電制御を行い、
前記節電モードに制御されていないときに前記ファックスデータの着信があり、前記出力指定情報に基づく当該ファックスデータの送信元に対応する出力形態が印刷出力である場合、前記カウント部のカウントを中止させることを特徴とするファクシミリ装置。
【請求項３】
印刷部による印刷出力を含む複数の出力形態を有するファクシミリ装置の節電制御方法であって、
ファックスデータの送信元に応じて、当該ファックスデータの出力先が予め定められており、
前記印刷部を待機状態とする節電モードに設定されているときに前記ファックスデータの着信があり、当該ファックスデータの送信元に対応する出力形態が印刷出力である場合、当該ファックスデータの受信完了に先立ち、節電モードを解除して前記印刷部にウォームアップ動作を開始させることを特徴とする節電制御方法。
【発明の詳細な説明】
【技術分野】
【０００１】
本発明は、受信したファックスデータを、印刷出力、フォルダ保存、メール送信等の複数の形態で出力可能なファクシミリ装置、およびその節電制御方法に関する。
【背景技術】
【０００２】
近年、プリンター機能およびファックス機能等を備えた複合機が広く用いられるようになってきている。複合機には、受信したファックスデータを、プリンター機能によって印刷出力する機能の他に、受信したファックスデータの出力形態を設定できるようにしたものがある。他の出力形態としては、例えば、受信したファックスデータを印刷出力することなく、ＵＳＢメモリー等の外部メモリーの指定フォルダに格納するフォルダ出力の形態や、ファックスデータを電子メールに添付した形で指定アドレスに送信するメール送信の形態がある。
【０００３】
また、例えば、プリンター機能の利用が所定時間の間になかった場合、印刷エンジン等を待機状態とする節電モードに移行させることによって、電力消費を抑制しようとする節電制御を行う装置がある（例えば、特許文献１，２参照）。
【０００４】
なお、いったん節電モードに移行した後に節電モードを解除するには、ウォームアップ動作を行い、印刷エンジンを再び印刷出力可能な状態に戻す必要がある。このため、図９に示すように、節電モード時にファックスの着信があると（時刻ｔ１）、ファックスデータの受信処理を行い（時刻ｔ１〜ｔ２）、受信処理完了後に節電モードを解除してウォームアップ動作が開始される。そして、ウォームアップが完了する時刻ｔ３以降に、ファックスデータの印刷出力が行われる。
【先行技術文献】
【特許文献】
【０００５】
【特許文献１】特開平９−１１６６６４号公報
【特許文献２】特開２００２−２１８１２０号公報
【発明の概要】
【発明が解決しようとする課題】
【０００６】
しかしながら、ウォームアップ中の印刷エンジンは印刷できない状態にあり、節電モード時にファックスデータを受信した場合、ファックスデータの受信完了後に開始したウォームアップが完了するまで印刷待ちの状態となるので、ファックスデータの印刷完了が遅くなってしまうという課題がある。
【０００７】
また、ウォームアップが完了するタイミングをより早めるためには、ファックスデータが着信したタイミングでウォームアップを開始させる方法が考えられるが、この場合、フォルダ出力やメール出力等、プリンター機能を利用しないときにも節電モードが解除されてしまう。このため、印刷出力を行う場合には待ち時間を短縮できるが、他の形態の出力を行う場合には、たとえプリンター機能が必要なくとも節電モードが解除されることとなって、電力を無駄に消費してしまうという課題がある。
【課題を解決するための手段】
【０００８】
本発明は、上述の課題の少なくとも一部を解決するためになされたものであり、以下の形態または適用例として実現することが可能である。
【０００９】
［適用例１］印刷出力を含む複数の出力形態を有するファクシミリ装置であって、ファックスデータを受信する受信部と、前記受信したファックスデータの印刷出力を行う印刷部と、前記印刷部を待機状態とする節電モードの制御を行う節電制御部と、前記印刷部による印刷出力を制御する出力制御部と、前記ファックスデータの送信元に応じて、当該ファックスデータの出力形態を予め指定した出力指定情報を記憶する記憶部と、を備え、前記節電モードに制御されているときに前記ファックスデータの着信があり、前記出力指定情報に基づく当該ファックスデータの送信元に対応する出力形態が印刷出力である場合、当該ファックスデータの受信完了に先立ち、前記節電制御部は節電モードを解除して前記印刷部にウォームアップ動作を開始させることを特徴とするファクシミリ装置。
【００１０】
この構成によれば、節電モードに制御されているときにファックスデータの着信があり、ファックスデータの送信元に対応する出力形態が印刷出力である場合、ファックスデータの受信完了に先立ってウォームアップ動作が開始されるので、受信処理完了後にウォームアップ動作を開始した場合に比べて、ウォームアップ動作が完了するタイミングが早まる。また、ファックスデータの送信元に対応する出力形態が、印刷出力の他の出力形態の場合、印刷出力を行う必要がないにも関わらずに、ファックスデータの受信完了前に節電モードを解除して電力を無駄に消費してしまうことがない。したがって、ファックスデータの出力形態に応じて、節電モードによる消費電力の低減を効果的に行うことができるとともに、印刷出力までの待ち時間を短縮することができる。
【００１１】
［適用例２］上記ファクシミリ装置において、印刷出力が行われていない期間に経過した時間をカウントするカウント部をさらに備え、前記節電制御部は、前記カウント部のカウント値が所定値に到達したときに、前記印刷部を節電モードとする節電制御を行い、前記節電モードに制御されていないときに前記ファックスデータの着信があり、前記出力指定情報に基づく当該ファックスデータの送信元に対応する出力形態が印刷出力である場合、前記カウント部のカウントを中止させることを特徴とするファクシミリ装置。
【００１２】
この構成によれば、節電モードに制御されていないときにファックスデータの着信があった場合において、ファックスデータの着信後から受信完了までの間にカウント値が所定値に到達することとなって節電モードに移行してしまうことがなくなる。したがって、着信後に節電モードに移行してしまい、その後、印刷出力を行うために節電モードを解除してウォームアップ動作の完了待ちとなることによって、印刷出力の待ち時間を長くしてしまうことを防ぐことができる。
【００１３】
［適用例３］印刷部による印刷出力を含む複数の出力形態を有するファクシミリ装置の節電制御方法であって、ファックスデータの送信元に応じて、当該ファックスデータの出力先が予め定められており、前記印刷部を待機状態とする節電モードに設定されているときに前記ファックスデータの着信があり、当該ファックスデータの送信元に対応する出力形態が印刷出力である場合、当該ファックスデータの受信完了に先立ち、節電モードを解除して前記印刷部にウォームアップ動作を開始させることを特徴とする節電制御方法。
【００１４】
このようにすれば、ファックスデータの出力形態に応じて、節電モードによる消費電力の低減を効果的に行うことができるとともに、印刷出力までの待ち時間を短縮することができる。
【図面の簡単な説明】
【００１５】
【図１】第１実施例に係るネットワークシステムの構成を示す図。
【図２】宛先帳ベースの一例を示す図。
【図３】複合機の機能ブロック図。
【図４】節電モード時における処理の流れを示すフローチャート。
【図５】節電モード時における印刷出力のタイミングチャート。
【図６】第２実施例に係る処理の流れを示すフローチャート。
【図７】通常モード時における印刷出力のタイミングチャート。
【図８】節電タイマーのカウントを中止しなかった場合の制御を説明するためのタイミングチャート。
【図９】従来技術による印刷出力のタイミングチャート。
【発明を実施するための形態】
【００１６】
以下、本発明の実施の形態について実施例に基づいて説明する。
【００１７】
（第１実施例）
図１は、第１実施例に係るネットワークシステムの構成を示した図である。図１に示すように、ネットワークシステム１は、ファクシミリ装置の一例である複合機１００と、複合機１００のホスト装置であるコンピューター２００と、ルーター４００を介して外部のメールサーバーとのメール送受信等を行うメールサーバー３００と、を含んでいる。また、このネットワークシステム１の各装置はＬＡＮ（Local Area Network）等のネットワークに接続されている。
【００１８】
複合機１００は、コピー機能、プリンター機能、スキャナー機能およびファックス機能等の複数の機能を有する装置であり、コントローラー１１０と、操作パネル１２０と、スキャナー１３０と、印刷エンジン１４０と、ファクシミリ部１５０と、を備えている。
【００１９】
操作パネル１２０は、キー入力装置１２１および表示装置１２２を有する。ユーザーは、表示装置１２２に表示される画面に従ってキー入力装置１２１を操作することにより、プリンター機能、スキャナー機能およびファックス機能を利用するための操作や、複合機１００に関する様々な設定を変更する操作を行う。
【００２０】
スキャナー１３０は、原稿台にセットされた原稿を読み取って、原稿イメージのスキャンデータを生成するためのハードウェア部である。スキャナー１３０が原稿を読み取ることによって生成されたスキャンデータはコントローラー１１０に受け渡されて、ＲＡＭ１１３または不揮発性メモリー１１４に格納される。
【００２１】
印刷エンジン１４０は、例えば、複合機１００の内部で生成された印刷データや、コンピューター２００から受信した印刷データに基づいて、印刷用紙等の印刷媒体に印刷を行うハードウェア部であり、コントローラー１１０から受け取る印刷データに従って印刷を実行する。
【００２２】
ファクシミリ部１５０は、ファックス回線網を介してファクシミリ通信を行うための部分である。ファクシミリ部１５０は、送信対象とする画像データを符号化してファクシミリ通信用のファックスデータを生成する処理、ファックスデータの送信および受信の処理、受信したファックスデータを逆符号化して画像データとして取得する処理等を行う。
【００２３】
コントローラー１１０は、複合機１００の各部の動作を制御する部分であり、ＣＰＵ１１１と、ＲＯＭ１１２と、ＲＡＭ１１３と、不揮発性メモリー１１４と、ネットワークＩ／Ｆ１１５と、メモリーＩ／Ｆ１１６と、を有する。また、これらの構成は内部バスを介して相互に接続されている。
【００２４】
ネットワークＩ／Ｆ１１５は、ネットワークに接続するインターフェイス部分であり、複合機１００は、このネットワークＩ／Ｆ１１５によりネットワークを介して、コンピューター２００、メールサーバー３００、ルーター４００と相互にデータ通信可能である。メモリーＩ／Ｆ１１６は、ＵＳＢメモリー２５０等の外部メモリーが着脱可能に装着されるインターフェイス部分であり、外部メモリーに対してデータを読み書きする処理を行う。
【００２５】
ＣＰＵ１１１は、コントローラー１１０の主制御装置であり、ＲＡＭ１１３を作業領域等として用い、ＲＯＭ１１２に格納された各種のプログラムを実行することにより、複合機１００における様々な制御を行う。具体的には、ＣＰＵ１１１は、スキャナー１３０に読取指示を出す処理、印刷エンジン１４０に印刷指示を出すと共に印刷用のデータを受け渡す処理、スキャナー１３０による原稿の読み取りを制御する処理、ファクシミリ部１５０によるファクシミリ通信を制御する処理、節電制御の処理等を行う。
【００２６】
なお、本実施例の複合機１００には、ファクシミリ部１５０が受信したファックスデータを出力する形態として、複合機１００のプリンター機能を利用した印刷出力、コンピューター２００等へ送信する電子メールに添付するメール出力、ＵＳＢメモリー２５０内の指定フォルダに記録するフォルダ出力等、複数の出力形態を有している。コントローラー１１０は、これら複数の出力形態の制御を行う。
【００２７】
不揮発性メモリー１１４は、フラッシュＲＯＭ、ＮＶＲＡＭ等の読み書き可能なメモリーであり、宛先帳（出力指定情報）１１７のデータを予め記憶している。
【００２８】
図２に、宛先帳１１７の一例を示す。図２に示すように、宛先帳１１７には、宛先名とファックス番号等が対応付けて登録される。さらに、宛先帳１１７には、ファックスの出力形態が宛先ごとに指定されている。図２の例では、ファックス番号「１１１−２２２−３３３３」の宛先名「ＡＡＡ」に対して、出力形態として印刷出力が指定されている。宛先名「ＢＢＢ」に指定された出力形態はメール出力であり、メールの出力先としてメールアドレス「ｂｂｂ＠ｘｘｘ．ｃｏｍ」が指定されている。すなわち、宛先帳１１７では、ファックス送信元の宛先に応じてファックスデータの出力形態が予め決められている。
【００２９】
次に、複合機１００の機能構成について説明する。図３に、複合機１００の機能ブロック図を示す。図３に示すように、複合機１００は、節電タイマー１０と、節電制御部２０と、出力制御部３０と、を有する。
【００３０】
節電制御部２０は、複合機１００の節電制御を行う機能部である。具体例には、節電制御部２０は、節電モードと通常モードとを切り替えることによって節電制御を行い、節電モード時には、印刷エンジン１４０に備わる定着機の加熱等を中止する制御等を行うことにより、通常モード時に比べて消費電力が低減した状態とする。
【００３１】
なお、節電制御部２０は、印刷出力の機能が利用されることなく所定時間が経過したときに節電モードに移行させるように制御するため、節電タイマー１０を使用する。すなわち、節電制御部２０は、通常モードに移行したときに節電タイマー１０のカウントを開始させ、印刷出力の機能が利用されることなくカウント開始後所定時間が経過してカウント値が所定値になったときに節電モードに移行させることによって、節電制御を行う。
【００３２】
出力制御部３０は、受信したファックスデータの出力形態を、印刷出力、メール出力、フォルダ出力のうちから宛先帳１１７に従って決定し、決定した形態によるファックス出力を制御する。
【００３３】
次に、節電モード時における複合機１００の制御について、図４のフローチャートに従って詳細に説明する。なお、以下に説明する制御は、ＣＰＵ１１１がＲＯＭ１１２に記憶された制御プログラム等を実行することによって行われる。
【００３４】
複合機１００が節電モードに設定されているとき、図４の処理が開始されると、出力制御部３０は、ファックスの着信があったかを判断して（ステップＳ１００）、着信がなかった場合は着信を待ち続ける（ステップＳ１００：Ｎｏ）。ファクシミリ部１５０にファックスデータが着信すると（ステップＳ１００：Ｙｅｓ）、節電制御部２０は、宛先帳１１７にファックス送信元のファックス番号を照会して、送信元が宛先帳１１７に登録されているか否かを判断する（ステップＳ１１０）。ファックスの送信元が宛先帳１１７に登録されていた場合（ステップＳ１１０：Ｙｅｓ）、宛先帳１１７を参照して、送信元に対応する出力形態が印刷出力になっているか否かを判断する（ステップＳ１２０）。出力形態が印刷出力であれば（ステップＳ１２０：Ｙｅｓ）、印刷エンジン１４０に節電モードの解除指示を出す（ステップＳ１３０）。これにより、印刷エンジン１４０内部では、定着機への加熱等のウォームアップ動作が開始され、節電モードを解除した後、ステップＳ１４０に進む。
【００３５】
ステップＳ１４０に処理が進むと、ファクシミリ部１５０は、着信のあったファックスデータの受信処理を行い、ファックスデータの全データを受信して受信処理が完了するとステップＳ１５０に進む。
【００３６】
ステップＳ１５０に処理が進むと、出力制御部３０は、宛先帳１１７を参照して、受信したファックスデータに対応する出力形態が印刷出力であるか否かを判断する（ステップＳ１５０）。
【００３７】
受信したファックスデータに対応する出力形態が印刷出力であれば（ステップＳ１５０：Ｙｅｓ）、ステップＳ１３０にて開始したウォームアップが完了したかを判断して（ステップＳ１６０）、完了していない場合（ステップＳ１６０：Ｎｏ）、ウォームアップの完了を待ち続ける。ウォームアップが完了すると（ステップＳ１６０：Ｙｅｓ）、印刷エンジン１４０は印刷可能な状態となる。出力制御部３０は、印刷エンジン１４０に印刷要求を送信し（ステップＳ１７０）、ファックスデータを印刷用データに変換して印刷エンジン１４０に送信することにより、印刷出力が実行される（ステップＳ１８０）。
【００３８】
一方、ステップＳ１５０において、受信したファックスデータに対応する出力形態が印刷出力でないと判断されると（ステップＳ１５０：Ｎｏ）、出力制御部３０は、宛先帳１１７に指定された、印刷出力以外の指定された出力形態でファックスデータを出力する（ステップＳ１９０）。ここでは、ファックスデータの送信元に対して宛先帳１１７に指定された出力形態がメール出力の場合、出力制御部３０は、ネットワークＩ／Ｆ１１５を介して、ファックスデータを電子メールに添付した状態で、指定アドレスに送信する。宛先帳１１７に指定される出力形態がフォルダ出力の場合、出力制御部３０は、メモリーＩ／Ｆ１１６を介して、ＵＳＢメモリー２５０内の指定フォルダに格納する。
【００３９】
なお、ステップＳ１１０において、着信したファックスの送信元が宛先帳１１７に登録されていなかった場合（ステップＳ１１０：Ｎｏ）およびファックスの送信元に対応する出力形態が印刷出力でなかった場合（ステップＳ１２０：Ｎｏ）は、着信時に節電モードを解除することなく、ステップＳ１４０に進む。そして、受信処理を行い（ステップＳ１４０）、指定の出力形態が印刷出力であれば（ステップＳ１５０：Ｙｅｓ）、このときに印刷エンジン１４０に節電モードの解除指示を出してウォームアップ動作を開始させる。そして、ウォームアップの完了後（ステップＳ１６０：Ｙｅｓ）、印刷要求を出して印刷出力が実行される（ステップＳ１７０，Ｓ１８０）。
【００４０】
受信したファックスデータが、印刷出力、またはその他の形態で出力されると、ステップＳ１００に戻り、出力制御部３０は次の着信を待ち続ける。
【００４１】
図５は、節電モード時における印刷出力のタイミングチャートである。上述の制御によれば、図５に示すように、宛先帳１１７によって出力形態が印刷出力に指定された宛先からファックスデータの着信があったとき、節電モードが解除されてウォームアップ動作が開始される（時刻ｔ１）。そして、受信処理を完了して（時刻ｔ２）、さらにウォームアップが完了した後に（時刻ｔ４）、印刷出力が行われる。したがって、受信処理完了後にウォームアップ動作を開始していた従来の制御方法（図９参照）に比べて、ウォームアップ動作および印刷出力が行われるタイミングが早まることになる。
【００４２】
以上に説明した複合機１００によれば、ファックス送信元の宛先と出力形態との対応が宛先帳１１７に予め決められており、節電モード時に、印刷出力に指定された送信元からのファックスデータを受信したとき、受信処理に先立って印刷エンジン１４０のウォームアップ動作が開始される。これにより、図９に示したように受信処理後にウォームアップ動作を開始した場合に比べて、ウォームアップが完了する時刻を早めることができ、より早いタイミングで印刷が行われることとなるので、ファックスデータの印刷出力までの待ち時間を短縮することができる。
【００４３】
また、節電モード時にファックスデータを受信した場合、宛先帳１１７を参照して、ファックスデータの送信元に対応する出力形態が、印刷出力以外の出力形態（メール出力またはフォルダ出力）に対応する場合は節電モードが解除されない。これにより、プリンター機能が必要ない出力形態に対応する宛先からファックスデータを受信した場合に、節電モードを解除してしまい電力を無駄に消費してしまうことを防ぐことができる。したがって、複合機１００のよりいっそうの省電力化を図り、ファックスデータの印刷出力に要する待ち時間の短縮化、および複合機１００の省電力化を両立して実現できる。
【００４４】
（第２実施例）
上記第１実施例では、節電モード設定時にファックスデータを受信した場合の制御について説明したが、第２実施例では、さらに、通常モード設定時にファックスデータを受信した場合に消費電力の低減を図る。なお、第２実施例の構成は、第１実施例と同様であるため、第１実施例と同じ符号を付与し、詳細な説明は省略することとする。
【００４５】
以下、通常モード時における複合機１００の制御について、図６のフローチャートに従って説明する。
【００４６】
節電モードから通常モードに移行したとき、または複合機１００の電源が投入されたとき等に図６の処理が開始される。処理が開始されると、節電制御部２０は、節電タイマー１０にカウントを開始させる（ステップＳ２００）。これにより、所定時間経過後、通常モードから節電モードに移行させるためのカウント計測が開始される。
【００４７】
次に、出力制御部３０は、ファックスの着信があったかを判断して（ステップＳ２１０）、着信がなかった場合は着信を待ち続ける（ステップＳ２１０：Ｎｏ）。ファクシミリ部１５０にファックスデータが着信すると（ステップＳ２１０：Ｙｅｓ）、出力制御部３０は、宛先帳１１７を参照して、受信したファックスデータの出力形態が印刷出力であるか否かを判断する（ステップＳ２２０）。
【００４８】
出力形態が印刷出力であれば（ステップＳ２２０：Ｙｅｓ）、節電制御部２０は、ステップＳ２００にて開始したカウントを中止してから（ステップＳ２３０）、ファクシミリ部１５０により受信処理が行われる（ステップＳ２４０）。そして、受信処理完了後、出力制御部３０は、印刷エンジン１４０に印刷要求を出し（ステップＳ２５０）、印刷出力を実行させる（ステップＳ２６０）。
【００４９】
一方、ステップＳ２２０において、出力形態が印刷出力でないと判断されると（ステップＳ２２０：Ｎｏ）、ファクシミリ部１５０により受信処理が行われ（ステップＳ２７０）、受信処理完了後に、出力制御部３０は、指定の形態によってファックスデータを出力する（ステップＳ２８０）。
【００５０】
図７は、通常モード時における印刷出力の制御を示したタイミングチャートである。通常モード時においては、図７に示すように、通常モードに移行したときに節電タイマー１０によるカウントが開始され（時刻ｔ０）、カウント開始後に、ファックスの着信があると、受信処理が開始されるとともに節電タイマー１０によるカウントは中止される（時刻ｔ１）。そして、受信処理を完了した後に（時刻ｔ２）、印刷出力が行われる。これにより、図８に例として示すように、受信処理中に、節電タイマー１０によるカウントが終了することによって節電モードに移行させてしまい（時刻ｔ５）、受信処理完了後にウォームアップ動作を行う状況が発生しない。
【００５１】
上述した第２実施例によれば、図８にて説明したように、通常モード時におけるファックスデータの受信処理中、節電タイマーの計測を中止することにより節電モードに移行してしまうことがない。これにより、受信処理終了後に節電モードを解除してウォームアップ動作を行うことがなくなり、ファックスデータの印刷が行われるまでの待ち時間が無駄に延びてしまうことを防ぐことができる。
【００５２】
以上、第１実施例および第２実施例について説明したが、実施の形態としては実施例の全ての構成を備えたものに限られることなく、その趣旨に逸脱しない様々な形態としてもよい。以下、変形例について説明する。
【００５３】
（変形例１）上記実施例では、ファクシミリ装置の一例としての複合機１００について説明したが、ファクシミリ装置としてはこれに限られることなく、ファクシミリ専用機、もしくはファクシミリ機能を備えたプリンターやパーソナルコンピューター等の装置であってもよい。
【符号の説明】
【００５４】
１…ネットワークシステム、１０…節電タイマー、２０…節電制御部、３０…出力制御部、１００…複合機、１１０…コントローラー、１１１…ＣＰＵ、１１２…ＲＯＭ、１１３…ＲＡＭ、１１４…不揮発性メモリー、１１７…出力指定情報としての宛先帳、１４０…印刷エンジン、１５０…ファクシミリ部、２００…コンピューター、２５０…ＵＳＢメモリー、３００…メールサーバー、４００…ルーター。
【図１】
2010199670.tif 000003
【図２】
2010199670.tif 000004
【図３】
2010199670.tif 000005
【図４】
2010199670.tif 000006
【図５】
2010199670.tif 000007
【図６】
2010199670.tif 000008
【図７】
2010199670.tif 000009
【図８】
2010199670.tif 000010
【図９】
2010199670.tif 000011